(57)【要約】【課題】  犯人の画像を所定の相手先へ自動的に送信可能な携帯電話装置を提供する。【解決手段】  電源オフ操作が行われると（Ｓ３ステップ）、防犯ブザーの鳴動が停止し（Ｓ６ステップ）、カメラにより撮影動作が実施される（Ｓ７ステップ）。続いて、撮影した画像を予め設定しておいた相手先に自動的にメールに添付して送信する（Ｓ８ステップ）。【選択図】  図３
2008153730.tif 000002
【特許請求の範囲】
【請求項１】
表示部とカメラを同一平面上に搭載した携帯電話装置であり、
前記電源キーが操作されると前記カメラを用いて自動的に撮影動作を行い、当該撮影した画情報を予め設定した相手先に自動的に送信することを特徴とする携帯電話装置。
【請求項２】
表示部とカメラを同一平面上に搭載した第１の筐体と、電源キーを含む入力部を搭載した第２の筐体とをヒンジ部で連結させた携帯電話装置であり、
前記電源キーが操作されると前記カメラを用いて自動的に撮影動作を行い、当該撮影した画情報を予め設定した相手先に自動的に送信することを特徴とする携帯電話装置。
【請求項３】
表示部とカメラを同一平面上に搭載した第１の筐体と、電源キーを含む入力部を搭載した第２の筐体とをヒンジ部で連結させた携帯電話装置であり、
筐体が開かれると前記カメラを用いて自動的に撮影動作を行い、当該撮影した画情報を予め設定した相手先に自動的に送信することを特徴とする携帯電話装置。
【発明の詳細な説明】
【技術分野】
【０００１】
本発明は、防犯ブザー等の機能を有する携帯電話装置に関する。
【背景技術】
【０００２】
近年では子供の誘拐事件が多発しており、このような事件から子供を守る為に携帯電話各メーカーが様々な機能を有した携帯電話装置を提供している。例えば、防犯ブザー付き携帯電話装置がその一例であり、子供が誘拐犯に遭遇した場合、携帯電話の紐を引っ張ることにより大音量の防犯ブザーが鳴動されるというものである。
【０００３】
又、このような防犯機能付き携帯電話装置に関する技術も数多く特許出願されており、例えば特許文献１には、ユーザが所定の操作を行うと防犯ブザーが鳴動し、この状態で誘拐犯が電源キーを操作すると、所定時間毎に位置情報を所定の宛先へ送信する技術が記載されている。
【特許文献１】特願２００６−１５０７５９号
【発明の開示】
【発明が解決しようとする課題】
【０００４】
このように所定時間毎に相手先に位置情報を送信する技術によると、子供が今どこにいるかを知る重要な手がかりを両親や警察等が入手できる為、子供を救助する為に大変有効な技術ではある。しかし、子供を救助するだけでなく犯人を捕まえるためには、更なる機能が必要である。
【課題を解決するための手段】
【０００５】
本願発明は、このような課題を解決する為のものであり、請求項１記載の携帯電話装置は、表示部とカメラを同一平面上に搭載した携帯電話装置であり、前記電源キーが操作されると前記カメラを用いて自動的に撮影動作を行い、当該撮影した画情報を予め設定した相手先に自動的に送信することを特徴とする。
請求項２記載の携帯電話装置は、表示部とカメラを同一平面上に搭載した第１の筐体と、電源キーを含む入力部を搭載した第２の筐体とをヒンジ部で連結させた携帯電話装置であり、前記電源キーが操作されると前記カメラを用いて自動的に撮影動作を行い、当該撮影した画情報を予め設定した相手先に自動的に送信することを特徴とする。
請求項３記載の携帯電話装置は、表示部とカメラを同一平面上に搭載した第１の筐体と、電源キーを含む入力部を搭載した第２の筐体とをヒンジ部で連結させた携帯電話装置であり、筐体が開かれると前記カメラを用いて自動的に撮影動作を行い、当該撮影した画情報を予め設定した相手先に自動的に送信することを特徴とする。
【発明の効果】
【０００６】
請求項１及び２記載の携帯電話装置によれば、電源オフ操作が行われると自動的にカメラにより撮影が行われると共に撮影した画像を所定の宛先に送信する為、犯人がだれであるかを知る手がかりを両親や警察に知らせることができる。
【０００７】
請求項３記載の携帯電話装置によれば、筐体が開かれる操作が行われると自動的にカメラにより撮影が行われると共に撮影した画像を所定の宛先に送信する為、犯人がだれであるかを知る手がかりを両親や警察に知らせることができる。
【発明を実施するための最良の形態】
【０００８】
図１は、本実施例装置である携帯電話装置の斜視図である。図１において、携帯電話装置１は、第１の筐体２と第２の筐体３がヒンジ部４を介して連結された、所謂、折畳式の携帯電話装置である。
【０００９】
図１において第１の筐体２には、ディスプレイ４２とカメラ４８が搭載されており、一方、第２の筐体３には、テンキーや通話キー等からなる入力部４４が搭載されている。尚、スピーカやマイク等他の構成については説明を省略している。又、ディスプレイ４２とカメラ４８は同一面上に配置されている。
【００１０】
図２は本実施例装置のブロック図である。図２に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００１１】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１２】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１３】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１４】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１５】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１６】
また、通信部１２、ベースバンド部１４、切替回路２２には、制御回路（制御部）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６には、ＲＯＭ３８が接続されており、ＲＯＭ３８に格納されているシステムプログラムに基づき各部を制御する。
【００１７】
また、制御回路３６には、入力部４４が接続されている。この入力部４４は、図示していないが、テンキー、通話キー、切キー、カーソル移動等に用いられる十字キー、決定キー、クリアキー、防犯ブザーを鳴動させるためのキー等を有している。
【００１８】
ＲＡＭ４０には、相手側の電話番号と名称等の情報が対で複数格納され、又、アラームの鳴動時刻の情報やカメラ４８で撮影した画像の情報やメール本文等の情報が格納される。
【００１９】
カメラ４８は、例えばＣＣＤ（Ｃｈａｒｇｅ  Ｃｏｕｐｌｅｄ  Ｄｅｖｉｃｅｓ）からなり、ユーザの操作に基づいて撮影可能である。
【００２０】
次に、本実施例装置の動作について、図３を用いて説明する。図３は本実施例装置の動作を示すフロー図である。
【００２１】
Ｓ１ステップでは、制御回路３６は入力部４４からブザー鳴動の操作（例えば、＃キーの２秒以上連続押下）があると判定するとＳ２ステップへ処理を進める。
【００２２】
Ｓ２ステップで、制御回路３６は、スピーカ３４からブザー音を鳴動させる。
【００２３】
続くＳ３ステップでは、制御回路３６は、入力部４４から電源オフ操作（例えば、電源キーの２秒以上連続押下）があると判定するとＳ６ステップへ処理を進め、そうでなければＳ４ステップへ処理を進める。
【００２４】
Ｓ４ステップでは、制御回路３６は、携帯電話装置を電源オフする為の特定の操作（例えば、電源キーと＃キーの同時押下や、暗証番号の入力操作等）があると判定すると、Ｓ５ステップへ処理を進め、そうでなければＳ３ステップへ処理を戻す。
【００２５】
Ｓ５ステップでは、制御回路３６は、携帯電話装置を電源オフ状態とする。尚ここでいう電源オフ状態とは、通常の携帯電話装置と同じように、電源をオフするとＣＰＵがキー入力を待ち受けて他の部分（送受信部や表示部）は動作させない状態と同じ状態になる。
【００２６】
Ｓ６ステップでは、制御回路３６は、スピーカ３４からのブザー音の鳴動を停止し、Ｓ７ステップへ処理を進める。
【００２７】
Ｓ７ステップでは、制御回路３６は、カメラ４８を自動的に起動させると共に撮影し、撮影した画情報を一旦ＲＡＭ４０に格納する。尚、この時シャッター音は鳴動されず、ディスプレイ４２に撮影に関する情報が何も表示されない。これは犯人に撮影が行われたことを悟られないようにする為である。
【００２８】
続くＳ８ステップでは、制御回路３６は、前記Ｓ７ステップで撮影した画像をメールに添付し、予め設定しておいた相手先にこの添付データを自動的に送信するように、通信部１２とベースバンド部１４を制御する。
【００２９】
このように、本実施例装置では、ブザーが鳴動している状態で犯人が電源キーを操作すると、ディスプレイ４２と同一面上に配置されているカメラ４８により自動的に撮影動作がなされると共に、撮影された画像を自動的に所定の宛先へ送信する為、犯人の画像を自動的に両親や警察等へ知らせることが可能である。
【００３０】
尚、本実施例では、電源キーが操作されると自動的に撮影動作を行う構成としたが、防犯ブザーが鳴動している状態で筐体が開けられると自動的に撮影を行い、予め設定しておいた相手先に撮影した画像データを送信するようにしても良い。
【００３１】
又、画像データと共にＧＰＳ（Ｇｌｏｂａｌ  Ｐｏｓｉｔｉｏｎｉｎｇ  Ｓｙｓｔｅｍ）により位置情報を受信しこの位置情報も特定の相手先へ送信する構成としても良い。
【００３２】
更に、本実施例装置ではブザー鳴動時に所定の操作が行われることにより、カメラで撮影し撮影した画像を特定の相手先へ送信する構成としたが、通常の待ちうけ状態において所定の操作（電源キー操作や筐体の開閉）が行われると、自動的にカメラで撮影し、撮影した画像を特定の相手先へ送信する構成としても良い。
【００３３】
又、本実施例では折り畳み式の携帯電話装置において実施したが、ストレートタイプの携帯電話装置においても同様に実施することが可能である。ストレートタイプの携帯電話装置では、例えばカメラと表示部を同一平面上に配置し、電源キーの操作が行われると、自動的にカメラで撮影を行い、撮影した画像を特定の相手先に送信する構成とすることができる。このような場合においても、誘拐犯の画像を特定の相手先へ送信することが可能である。
【図面の簡単な説明】
【００３４】
【図１】本発明を適用してなる実施例装置の斜視図である。
【図２】本実施例装置のブロック図である。
【図３】本実施例装置の動作を示すフロー図である。
【符号の説明】
【００３５】
１０      携帯電話装置
３６      制御回路
４０      ＲＯＭ
４４      入力部
４８      カメラ
【図１】
2008153730.tif 000003
【図２】
2008153730.tif 000004
【図３】
2008153730.tif 000005